(57)【要約】【課題】容器を反転させても液だれを起こすことのない塗布栓を提供する。【解決手段】容器の口部に固定保持され該容器内に通じる開口を有するキャップベースと、このキャップベースの開口を通して排出された内容物を染み込ませてそれを直接塗布面に接触させて内容物を塗布する塗布ヘッドを有する塗布栓において、前記キャップベースに、その表面で塗布ヘッドを保持しその背面でキャップベースに回動自在に合わさり所定位置への回動のみにてキャップベースの開口に連通する排出口を有する塗布ヘッド皿を設ける。【選択図】　　　　図１
2004089749.tif 000002
【特許請求の範囲】
【請求項１】
容器の口部に固定保持され該容器内に通じる開口を有するキャップベースと、このキャップベースの開口を通して排出された内容物を染み込ませてそれを直接塗布面に接触させて内容物を塗布する塗布ヘッドからなり、
前記キャップベースに、その表面で塗布ヘッドを保持しその背面でキャップベースに回動自在に合わさり所定位置への回動のみにてキャップベースの開口に連通する排出口を有する塗布ヘッド皿を設けたことを特徴とする塗布栓。
【請求項２】
塗布ヘッド皿とキャップベースの合わせ面に、排出口と開口をつなぐ誘導路を区画してなる、請求項１記載の塗布栓。
【請求項３】
排出口は、塗布ヘッドの全域にわたる内容物の均等な染み込みを可能とする複数の分散配置になる請求項１または２記載の塗布栓。
【請求項４】
塗布ヘッドがフェルト、スポンジ等の気泡構造体または焼結体の何れかからなる請求項１〜４の何れかに記載の塗布栓。
【発明の詳細な説明】
【０００１】
【発明の属する技術分野】
本発明は、フェルト等からなる塗布ヘッドに容器内の内容物を染み込ませて塗布する塗布栓に関するものであり、容器の反転状態での液だれを確実に防止しようとするものである。
【０００２】
【従来の技術】
痒み止め液等の薬剤やガラスの曇り止め液等を充填する容器は、その口部にフェルト等からなる塗布ヘッドを組み込んだ塗布栓が装着されていて、容器のスクイズによって該塗布ヘッドに液体を染み込ませ、それを直接塗布対象面に接触させて塗布する構造になっている。
【０００３】
ところで、かかる塗布栓は、容器の保管時には該塗布ヘッドを覆い隠すキャップを取り付けるのが普通であるのでとくに問題はないものの、キャップを取り外した状態では容器を反転しただけで内容物が排出されるため、塗布ヘッドにおける吸収能が飽和状態にあるとき、内容物が塗布ヘッドから滴り落ちることもあり、その解決が望まれていた。
【０００４】
【発明が解決しようとする課題】
本発明の課題は、容器の反転姿勢においても液だれを起こすことのない使い勝手のよい新規な塗布ヘッドを提案するところにある。
【０００５】
【課題を解決するための手段】
本発明は、容器の口部に固定保持され該容器内に通じる開口を有するキャップベースと、このキャップベースの開口を通して排出された内容物を染み込ませてそれを直接塗布面に接触させて内容物を塗布する塗布ヘッドを有する塗布栓であって、
前記キャップベースに、その表面で塗布ヘッドを保持しその背面でキャップベースに回動自在に合わさり所定位置への回動のみにてキャップベースの開口に連通する排出口を有する塗布ヘッド皿を設けたことを特徴とする塗布栓である。
【０００６】
塗布ヘッド皿とキャップベースの合わせ面には排出口と開口をつなぐ誘導路を区画、形成して容器内の内容物を流通させる。
【０００７】
排出口は、塗布ヘッドの全域にわたる内容物の均等な染み込みを可能とする複数の分散配置とするのが好ましく、塗布ヘッドはフェルト、スポンジ等の気泡構造体または焼結体の何れかにて構成することができる。
【０００８】
【発明の実施の形態】
以下、図面を用いて本発明をより具体的に説明する。
【０００９】
図１（ａ）（ｂ）は本発明に従う塗布栓の実施の形態を示したものであり、（ａ）は平面を、（ｂ）は側面をそれぞれ示したものである。
【００１０】
図１において１は内容物を収納する容器、２は容器１の口部に固定保持されるキャップベースである。このキャップベース２は容器１内に通じる開口２ａを有する。
【００１１】
また、３は内容物を染み込ませてそれを直接塗布面に接触させて該内容物を塗布する塗布ヘッド（フェルト、スポンジ等の気泡構造体または焼結体等を用いる）、４はその表面で塗布ヘッド３を保持しその背面でキャップベース２に回動自在に合わさる塗布ヘッド皿である。塗布ヘッド皿４は複数の排出口ｈを均等に分散配置させた底壁４ａとこれに一体的に設けられ塗布ヘッド３の脱落防止を図る係止片ｋを有する環状壁４ｂからなっていて、所定位置に回動させることで排出口ｈがキャップベース２の開口２ａに連通するようになっている。
【００１２】
５は塗布ヘッド皿４の背面において図２に示すように排出口ｈを含むように設けられた溝部であり、この溝部５は塗布ヘッド皿４をキャップベース２の所定位置まで回動させたときに開口２ａから排出口ｈに向けて内容物を流す誘導路を形成する。
【００１３】
上掲図１に示したところにおいて、キャップベース２と塗布ヘッド皿４の排出口ｈはつながっておらず、この状態でキャップ６を取り外して容器１を反転しても内容物が塗布ヘッド３を通して染み込むことはなく液だれは生じない。
【００１４】
内容物を塗布すべく、塗布ヘッド皿４を回動させ図３（ａ）（ｂ）に示すごとくキャップベース２の開口２ａと塗布ヘッド皿４の背面に設けた溝部５に一致させると排出口ｈと開口２ａが溝部５にて区画された誘導路を介して連通することとなり塗布ヘッド３の全域で内容物を均等に染み込ませることが可能になる。
【００１５】
容器１内の内容物を排出するに当たっては、例えば図２に示すように塗布ヘッド皿４の背面の縁部に凸部７を設けておき、塗布ヘッド皿４の回動に際して該凸部７をキャップベース２に予め設けた凸部８（図１ｂ参照）に突き当たてることにより位置合わせを行うことができる。
【００１６】
また、図示はしないが内容物の排出が可能であるか不可能であるかを外部から視覚で確認することができるように、塗布ヘッド皿４の外周及びキャップベース２の外周にそれぞれ「開」「閉」等の位置合わせマークを設けてもよい。さらに、上記同様、図示はしないが、開閉状態を感触でも感知できるように突き当て凸部７、８の何れか一方について、その両端部に回動時にもう一方の凸部を乗り越えることができる小突起を設けるようにしてもよい。小突起を設けた構造においては、開閉時に一方の凸部と小突起との間にもう９一方の凸部が位置することになるので開状態あるいは閉状態が確実にホールドされることになる。
【００１７】
【発明の効果】
本発明によれば、キャップを装着しない状態でも、キャップベースの開口を閉塞状態に維持できるので、容器を反転しても液だれを起こすことはなく、使い勝手が著しく改善される。
【図面の簡単な説明】
【図１】（ａ）（ｂ）は本発明に従う塗布栓の実施の形態を示した図である。
【図２】塗布ヘッド皿の背面を示した図である。
【図３】（ａ）（ｂ）は図１に示した塗布栓につき、内容物の排出可能状態を示した図である。
【符号の説明】
１　容器
２　キャップベース
２ａ　開口
３　塗布ヘッド
４　塗布ヘッド皿
４ａ　底壁
４ｂ　環状壁
５　溝部
６　キャップ
７　凸部
８　凸部
ｈ　排出口
ｋ　係止片
【図１】
2004089749.tif 000003
【図２】
2004089749.tif 000004
【図３】
2004089749.tif 000005